(57)【特許請求の範囲】
【請求項１】
外周面の一部に外側セレーションを形成したブラケット軸と、基端に、ブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板とを有するものにおいて、このカム板をフォークアームのスリットに挿入し、支承孔と装着孔とを整合させた状態で、これらをブラケット軸に対し回動可能に、かつ軸線方向に摺動可能に案内し、一方、フォークアームに関してブラケットと反対側におけるブラケット軸にフランジを有するカム板固定カラーを軸線方向に摺動可能に設け、他方、ブラケット軸内にガイドピン及びこれと摺動可能に嵌合する筒状の制御体を同軸に設け、この制御体のブラケット軸外に突出する部分に摘みを形成すると共に、ガイドピンにその半径方向に突出する係合ピンを植設し、また、制御体の筒部にこの係合ピンと摺動可能に係合する母線方向に延在する案内溝、及びこの案内溝の両端に連設された円周方向に延在する係止溝を形成し、この制御体をカム板固定カラーに連係させる一方、手指で摘みを操作し制御体をブラケット方向に押込んで所定の方向に回転させ、係合ピンを案内溝の下端に連設された係止溝に係合させてフォークアームの基端をブラケットとカム板固定カラーとで挟持したとき、カム板の内側セレーションとブラケット軸の外側セレーションとがブラケット軸の軸線方向において整合するようにしたことを特徴とするドアクローザの停止角度調整機構。
【請求項２】
外周面の一部に外側セレーションを形成したブラケット軸と、基端に、ブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板とを有するものにおいて、このカム板をフォークアームのスリットに挿入し、支承孔と装着孔とを整合させた状態で、これらをブラケット軸に対し回動可能に、かつ軸線方向に摺動可能に案内し、一方、ブラケット軸内にガイドピン及びこれと摺動可能に嵌合する筒状の制御体を同軸に設け、この制御体のブラケット軸外に突出する部分に摘みを、この摘みの外周部にフォークアームの基端部に臨む環堤部を夫々形成すると共に、ガイドピンにその半径方向に突出する係合ピンを植設し、他方、制御体の筒部にこの係合ピンと摺動可能に係合する母線方向に延在する案内溝、及びこの案内溝の両端に連設された円周方向に延在する係止溝を形成し、手指で摘みを操作し制御体をブラケット方向に押込んで所定の方向に回転させ、係合ピンを案内溝の下端に連設された係止溝に係合させてフォークアームの基端をブラケットと制御体の環堤部とで挟持したとき、カム板の内側セレーションとブラケット軸の外側セレーションとがブラケット軸の軸線方向において整合するようにしたことを特徴とするドアクローザの停止角度調整機構。
【発明の詳細な説明】
【０００１】
【発明の属する技術分野】
この発明は、ドアクローザの停止角度調整機構（以下単に停止角度調整機構という）に係り、特に、ドライバ等の工具を使用せずに簡単にドアクローザの停止角度を調整することができる停止角度調整機構に関する。
【０００２】
【従来の技術】
ドアクローザの停止装置、すなわち、閉鎖運動中のドアクローザを一時的に停止させる装置は、例えば荷物を室内に搬入するとき、ドアを手で押えておかなくてもよいので便利である。
【０００３】
このドアクローザの停止装置は種々のものが提案されているが、簡単な構造で作動が確実なものとして、ドアクローザのリンク機構に組込まれたものがある。
【０００４】
この停止装置は、図１に示すように、ブラケット１を介して通常は図示しないドア枠に固定されるブラケット軸２に装着され、後述のクリックボールと係合する凹部３を形成したカム板４と、上記ブラケット軸２に回動可能に支承されるフォークアーム５の筒状に形成された基部Ａに収納され、ブラケット軸２方向に付勢された図示しないクリックボール等のクリック体とを有している。
【０００５】
そして、ドアクローザが閉鎖方向に作動し、ブラケット軸２に固定されたカム板４に対し、フォークアーム５がブラケット軸２の回りを相対的に回動してその基部Ａに内蔵されたクリックボールがカム板の凹部３と整合すると、クリックボールが凹部３に填り込んでドアクローザの閉鎖力に対抗してこれを停止させる。
【０００６】
この型式の停止装置は、図２に示すように、その停止角度位置調整機構を内蔵することができる。
【０００７】
すなわち、図２において符号６はブラケット１に固定されたブラケット軸２の基部において、その母線方向に形成された外側セレーションで、この外側セレーション６は、カム板４の装着孔７の開口端縁に形成された内側セレーション８と噛み合うことができる。
【０００８】
そして、上記のように形成されたカム板４は、フォークアーム５の基端に形成されたスリット９に水平方向に挿入され、その装着孔７をフォークアームの回動軸と同軸に整合した後、ブラケット軸２をフォークアーム５の基端の支承孔１１に挿入して内側及び外側セレーション８、６を適当な相対角度位置で噛み合わせる。
【０００９】
なお、上記のように構成された停止角度調整機構は、カラー１２、１２、支持盤１３及びカバー１４と共に止めねじ１５で一体的に結合される。
【００１０】
その為、止めねじ１５を緩めれば各構成部材は図２で上下方向に相対移動可能になるので、カム板４の内側セレーション８とブラケット軸の外側セレーション６との噛み合い係合を得ことができ、従ってこれらの相対角度位置を調整した後止めねじ１５を再度締結することにより停止角度の調整ができる。
【００１１】
【発明が解決しようとする課題】
上記のように構成され、図２に示すような停止角度調整機構は勿論所期の機能を発揮して実用されているが、角度調整の度毎にドライバー等の工具で止めねじ１５を緩める必要があり、その場で思いついての任意の停止角度調整ができない、という恨みが残る。
【００１２】
この発明は、ドライバー等の工具を必要とせず、手指で簡単に、かつ何時でもドアクローザの停止角度を調整できる停止角度調整機構を提供することを目的としている。
【００１３】
【課題を解決するための手段】
上記の目的を達成するため、請求項１に記載の発明は、外周面の一部に外側セレーションを形成したブラケット軸と、基端に、ブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板とを有するものにおいて、このカム板をフォークアームのスリットに挿入し、支承孔と装着孔とを整合させた状態で、これらをブラケット軸に対し回動可能に、かつ軸線方向に摺動可能に案内し、一方、フォークアームに関してブラケットと反対側におけるブラケット軸にフランジを有するカム板固定カラーを軸線方向に摺動可能に設け、他方、ブラケット軸内にガイドピン及びこれと摺動可能に嵌合する筒状の制御体を同軸に設け、この制御体のブラケット軸外に突出する部分に摘みを形成すると共に、ガイドピンにその半径方向に突出する係合ピンを植設し、また、制御体の筒部にこの係合ピンと摺動可能に係合する母線方向に延在する案内溝、及びこの案内溝の両端に連設された円周方向に延在する係止溝を形成し、この制御体をカム板固定カラーに連係させる一方、手指で摘みを操作し制御体をブラケット方向に押込んで所定の方向に回転させ、係合ピンを案内溝の下端に連設された係止溝に係合させてフォークアームの基端をブラケットとカム板固定カラーとで挟持したとき、カム板の内側セレーションとブラケット軸の外側セレーションとがブラケット軸の軸線方向において整合するようにしたことを特徴とする。
【００１４】
また、請求項２に記載の発明は、外周面の一部に外側セレーションを形成したブラケット軸と、基端に、ブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板とを有するものにおいて、このカム板をフォークアームのスリットに挿入し、支承孔と装着孔とを整合させた状態で、これらをブラケット軸に対し回動可能に、かつ軸線方向に摺動可能に案内し、一方、ブラケット軸内にガイドピン及びこれと摺動可能に嵌合する筒状の制御体を同軸に設け、この制御体のブラケット軸外に突出する部分に摘みを、この摘みの外周部にフォークアームの基端部に臨む環堤部を夫々形成すると共に、ガイドピンにその半径方向に突出する係合ピンを植設し、他方、制御体の筒部にこの係合ピンと摺動可能に係合する母線方向に延在する案内溝、及びこの案内溝の両端に連設された円周方向に延在する係止溝を形成し、手指で摘みを操作し制御体をブラケット方向に押込んで所定の方向に回転させ、係合ピンを案内溝の下端に連設された係止溝に係合させてフォークアームの基端をブラケットと制御体の環堤部とで挟持したとき、カム板の内側セレーションとブラケット軸の外側セレーションとがブラケット軸の軸線方向において整合するようにしたことを特徴とする。
【００１５】
【発明の実施の形態】
以下この発明の実施例を図３乃至図  を参照して説明する。
図３及び図４において符号１は前記ブラケットを示し、このブラケット１の下面には、例えば溶接により、カップ状のブラケット軸２が開口を下に向けて固設されている。
【００１６】
このブラケット軸２の外周面のほぼ中間部に外側ブラケット６（図３参照）が形成されている。このセレーションはブラケット軸２の母線方向に延在する多数の突条を円周方向に連設したものである。
【００１７】
上記ブラケット軸２には、カム板４とフォークアーム５の基端とが、前者が後者のスリット９内に挿入され、かつ前者の装着孔７（図２参照）及び後者の支承孔１１（図３参照）を整合させた状態で、回動可能に、また摺動可能に嵌合している。
【００１８】
なお、図示の実施例においては、フォークアームの支承孔１１とブラケット軸２との間の摩擦トルクを減少させるため、ブラケット１と外側セレーション６との間におけるブラケット軸２に上部カラー１５が嵌装されているが、この上部カラー１５は本発明の必須の構成要素ではない。
【００１９】
一方、フォークアーム５に関してブラケット１と反対側（すなわち下方）におけるブラケット軸２には、図３及び図４に示すように、フランジを有する短筒状のカム板固定カラー１６が摺動可能に嵌装されている。
【００２０】
なお、図示の実施例においては、このカム板固定カラー１６とブラケット軸２との間の摩擦トルクを減少させるため（図４参照）、ブラケット軸２の下方に下部カラー１７が嵌装されているが、この下部カラー１７は本発明の必須の構成要素ではない。
【００２１】
他方、カップ状のブラケット軸２の内筒部に、ガイドピン１８及びこのガイドピン１８と摺動可能に嵌合する筒状の制御体１９とが同軸に設けられている。
【００２２】
図示の実施例では、上端に雄ねじ部を、下端にスリワリ付の大径部を形成したガイドピン１８と、上端開口端縁にガイドピンと嵌合する環状の蓋板を結合した制御体１９とを、前者の雄ねじ部を後者の下端開口から差込んでブラケット軸２に形成された雌ねじ部に捩じ込むことにより、ガイドピン１８と制御体１９とを相互に一体的に結合し、かつこれらをブラケット軸２に装着している。
【００２３】
そして、大径部と制御体１９の蓋板との間におけるガイドピン１８には、圧縮コイルばねとしての戻しばね２１が巻装されており、この戻しばねの弾力により制御体１９は上方に、すなわちブラケット１に近接する方向に付勢されているが、この戻しばね２１が無くてもこの発明は成り立つ。すなわち、この戻しばね２１はこの発明の必須の構成要素ではない。
【００２４】
上記制御体１９のブラケット軸２から下方に突出する部分には、フランジ付の摘み２２が形成されている。
【００２５】
また、上記ガイドピン１８の大径部を半径方向に貫通するようにして係合ピン２３が打込まれており、この係合ピン２３の両端はガイドピン１８外に突出している。
【００２６】
一方、制御体のブラケット軸２内における筒部には、図５に示すように、その母線方向に延在する案内溝２４、及びこの案内溝２４の上下両端に連設された円周方向に延在する係止溝２５、２５の組が、制御体１９の中心軸に関して対称的に２組形成され、これらの溝には上記係合ピン２３が摺動可能に係合している。
【００２７】
上記のように構成された制御体１９は、その中間フランジ部及びばね座金２６を介して、カム板固定カラー１６に下方から対峙するようにしてこれに連係させている。
【００２８】
上記のように構成された請求項１に記載の発明の一実施例による停止角度調整機構は、常態、すなわちドアクローザの使用状態においては、図４に示すように、制御体１９が一杯にブラケット軸２内に押込まれ、換言すれば最大限上昇した状態で、摘み２２は下方から見て最大限時計方向に回動されている。
【００２９】
このとき、係合ピン２３は下方の係止溝２５の終端部、すなわち図５でＡの位置にあり、また、ブラケット軸の外側セレーション６とカム板の内側セレーション８とがブラケット軸２の軸線方向において整合して相互に噛み合うように、これらのセレーションの形成位置が設定されている。
【００３０】
このとき、カム板４はブラケット軸２回りの回動が拘束され、すなわちカム板４はブラケット軸２に固定された状態になるので、前記したように、フォークアーム５がブラケット軸２に対し所定の角度相対回動すると、フォークアーム５に内蔵された図示しないクリック体がカム板４の凹部３に填り込むので、ドアクローザはその回動角度で停止する。
【００３１】
なお、扉を強い力で閉鎖方向に押動すると、クリック体が凹部３を乗り越えてこれらの係合を解くので、以降ドアは閉鎖方向に回動する。
【００３２】
ドアの停止角度を変えるには、ブラケット軸２に対するカム板の凹部３の相対角度位置を変化させる。
【００３３】
そのため制御体の摘み２２を下方から見て反時計方向に回動させると、ガイドピンの係合ピン２３が図５に示す案内溝２４の下端Ｂの位置で案内溝の開口端縁に衝接し、それ以上摘み２２を反時計方向に回せなくなる。
【００３４】
そこで、今度は摘み２２を下方に引き、図３に示すように、制御体１９を戻しばね２１の弾力に抗して下方に移動させる。
【００３５】
この過程において、係合ピン２３は図５に示す案内溝２４中を上昇して行き、図５のＣの位置において上側係止溝２５の開口端縁に衝接してそれ以上摘み２２を下方に引けなくなる。
【００３６】
そこで今度は摘み２２を反時計方向に回動させて係合ピン２３を上側係止溝２５中に進入させる。ここに致って摘み２２から手を放しても制御体１９は図３に示す位置を保つようになる。
【００３７】
上記制御体１９の下降に伴ってフォークアーム５及びカム板４が下降すればそれで良し、下降しなければ手指でフォークアーム５をカム板固定カラー１６を介して摘み２２のフランジに当接するまで下降させる。
【００３８】
すると、図３に示すように、ブラケット軸の外側セレーション６とカム板の内側セレーション８との係合が解け、カム板４が自由になるので、カム板４を所定の角度時計方向或いは反時計方向に回動させてブラケット軸２に対するカム板４の相対角度位置を設定する。
【００３９】
その後、摘み２２を下方から見て時計方向に回動させて係合ピン２３を図５のＣの位置に致らせ、次いで制御体１９をブラケット軸２内に押込み、係合ピン２３が図５のＢの位置に下ろす。
【００４０】
引続いて摘み２２を下方から見て更に時計方向に回動させると、係合ピン２３はＡとＢとの間のやや傾斜した係止溝を経てＡの位置に復帰し、図４に示す状態に戻る。
【００４１】
このとき外側セレーション６と内側セレーションとが新たな相対角度位置を保って再び噛み合い、新たな停止角度がこのようにして設定される。
【００４２】
なお、係合ピン２３が図５のＡとＢとの間の傾斜溝を通過するとき、係合ピン２３と傾斜溝との間に生じる楔作用により、摘み２２の回転力が増幅されてばね座金２６を弾性変形させる力が作用し、このばね座金２６の弾力に起因する摩擦モーメントにより、図４に示す制御体１９の状態角度位置が安定に保たれるが、上記傾斜溝は本発明の必須の構成要素ではない。
【００４３】
なお、上記常態への復帰時、図示の実施例では制御体の摘み２２のフランジがカム板固定カラー１６を介してフォークアーム５をブラケット１に向けて押上げるが、これはカム板固定カラー１６を廃し、その代わりに摘み２２のフランジの外周縁にフォークアーム側に突出する環堤部を形成し（図示せず）、この環堤部によりフォークアーム５を直接制御するようにしてもよい。
【００４４】
【発明の効果】
以上の説明から明らかなように、ブラケット軸に上下方向に移動可能に装着され、摘みの操作により上下に移動できる制御体によりフォーアーム及びカム板をブラケット軸に沿って上下に移動させ、カム板の内側セレーション及びブラケット軸の外側セレーションを係脱できるようにしたので、ドアクローザの停止角度位置を工具無しで任意に調整できる、という所期の目的を達成する。
【図面の簡単な説明】
【図１】停止装置を備えた従来のドアクローザのリンク機構の外観斜視図。
【図２】その停止角度調整機構の構成部材を展開して示す外観斜視図。
【図３】請求項１に記載の発明の一実施例による停止角度調整機構の拡大断面図で、停止角度変更時の状態を示す。
【図４】請求項１に記載の発明の一実施例による停止角度調整機構の拡大断面図で、ドアクローザ作動時の常態を示す。
【図５】制御体の拡大側面図。
【符号の説明】
１  ブラケット
２  ブラケット軸
３  凹部
４  カム板
５  フォークアーム
６  外側セレーション
７  装着孔
８  内側セレーション
９  スリット
１１  支承孔
１６  カム板固定カラー
１８  ガイドピン
１９  制御体
２２  摘み
２３  係合ピン
２４  案内溝
２５  係止溝
【図１】
0003936068.tif 000002
【図２】
0003936068.tif 000003
【図３】
0003936068.tif 000004
【図４】
0003936068.tif 000005
【図５】
0003936068.tif 000006